(57)【要約】【課題】  高所での作業を不要とし、容易に清掃できるようにした換気扇を提供する。【解決手段】  換気扇は、換気用ダクト２に連通する排気口１１ａを有するレンジフード１０と、レンジフード１０の内部に取り付けられ、回転によって気体を吸い込むファン１３と、ファン１３を回転させる駆動モータ１２と、を備えている。また、換気扇には、レンジフード１０と一体にファン１３および１２駆動モータを上下に移動させるクランク機構２１（昇降手段）が設けられている。そして、レンジフード１０は、少なくとも上昇位置にあるとき、排気口１１ａが換気用ダクト２と連通するように構成されている。【選択図】      図２
2009002541.tif 000002
【特許請求の範囲】
【請求項１】
換気用ダクトに連通する排気口を有するレンジフードと、
前記レンジフードの内部に回転自在に装着されたファンと、
前記レンジフードの内部に固定され、前記ファンを回転駆動する駆動モータと、を備えた換気扇において、
前記レンジフードと一体に前記ファンおよび駆動モータを上下に移動させる昇降手段を設けるとともに、
前記レンジフードは、少なくとも上昇位置にあるとき、前記排気口が前記換気用ダクトと連通する構成としたことを特徴とする換気扇。
【請求項２】
前記レンジフードの内部には、前記駆動モータを駆動制御するための制御回路が組み込まれており、
前記レンジフードの下降動作に連動して、前記制御回路を電源から切り離すとともに、前記レンジフードの上昇動作に連動して、前記制御回路を電源に接続する構成としてあることを特徴とする請求項１の換気扇。
【請求項３】
前記昇降手段は、前記レンジフードを同じ姿勢のまま昇降させるクランク機構で構成されていることを特徴とする請求項１又は２の換気扇。
【請求項４】
前記レンジフードの排気口と前記換気用ダクトとを連通する伸縮自在な排気管を備えることを特徴とする請求項１乃至３のいずれか一項に記載の換気扇。
【発明の詳細な説明】
【技術分野】
【０００１】
この発明は、屋内の家庭用キッチンや厨房等に据え付けられる換気扇に関する。
【背景技術】
【０００２】
換気扇は、家庭用キッチン、専用厨房等のガスコンロや熱源（ＩＨヒータなど）の上方位置に据え付けられる。この換気扇は、調理時に発生した煙、湯気、油滴などをレンジフード下面の開口から吸い込み、換気用ダクトに案内して屋外へ排出する機能を有している。
【０００３】
この種の換気扇は、油滴、塵埃などが換気扇の内面に付着しやすく、定期的な掃除やメンテナンスが必要である。しかし、換気扇は高所に据え付けられているため、レンジフード内の清掃が面倒で手間がかかる欠点があった。
そこで、特許文献１には、羽根、羽根カバー、油溜部といった部品を使い捨てとして、清掃を不要とした構成の換気扇が開示されており、また特許文献２にも組み立て式のレンジフードで、汚れた際は新しいものに取り替えることで清掃を不要とした構成のものが開示されている。
【特許文献１】特開平５−１０２９１号公報
【特許文献２】特開平９−２９６９４６号公報
【発明の開示】
【発明が解決しようとする課題】
【０００４】
しかし、これらの換気扇にあっても高所に据え付けられる点は変わりなく、したがって、レンジフードや羽根、羽根カバー、油溜部等の部品を取り替えるに際して、脚立などを利用した高所での作業が要求されるため、煩雑で危険を伴うという欠点があった。
【０００５】
この発明は、このような実情に鑑みてなされたもので、高所での作業を不要とし、容易に清掃できるようにした換気扇の提供を目的とする。
【課題を解決するための手段】
【０００６】
上記目的を達成するために、本発明は、換気用ダクトに連通する排気口を有するレンジフードと、レンジフードの内部に回転自在に装着されたファンと、レンジフードの内部に固定され、ファンを回転駆動する駆動モータと、を備えた換気扇において、レンジフードと一体にファンおよび駆動モータを上下に移動させる昇降手段を設けるとともに、レンジフードは、少なくとも上昇位置にあるとき、排気口が換気用ダクトと連通する構成としたことを特徴とする。
【０００７】
上記構成の本発明によれば、清掃に際してレンジフードを下降させて低所に配置することができるため、安全かつ容易に清掃作業をすることができる。
【０００８】
さらに、レンジフードの内部には、駆動モータを駆動制御するための制御回路が組み込まれており、レンジフードの下降動作に連動して、この制御回路を電源から切り離すとともに、レンジフードの上昇動作に連動して、制御回路を電源に接続する構成とすれば、レンジフードを下降させて低所で清掃作業を実施するにあたり、ファンが誤って回転するおそれがなくなり、いっそう安全に清掃作業を行うことができる。
【０００９】
なお、昇降手段は、レンジフードを同じ姿勢のまま昇降させるクランク機構で構成することができる。また、本発明は、レンジフードの排気口と換気用ダクトとを連通する伸縮自在な排気管を備えた構成とすることもできる。
【発明の効果】
【００１０】
以上、本発明によれば、清掃に際してレンジフードを下降させて低所に配置することができるため、安全かつ容易に清掃作業をすることができる。
【発明を実施するための最良の形態】
【００１１】
以下、この発明の実施の形態について図面を参照して詳細に説明する。
図１乃至図８は、本発明の実施形態に係る換気扇を説明するための図である。また、図１は、本実施形態に係る換気扇の全体構成を示す斜視図であり、図２は、同じく換気扇の構成を示す分解斜視図である。
まず、本実施形態の換気扇の全体構成について説明する。図１に示すように、換気扇１は、施設や家屋などの任意の室内に設けられた換気用ダクト２に連通するレンジフード１０を備えた構成である。なお、本実施形態の換気扇１は、一般に深型（またはブーツ型）と呼ばれる構造を適用しているが、これに限定されないことはもちろんである。
【００１２】
図２に示すように、換気扇１は、レンジフード１０によって外形が形成されており、その内部にモータ取付枠１１、駆動モータ１２、ファン１３、ファンケース１４が組み込まれている。またレンジフード１０の下面開口部にはフィルタ１５が取り付けられている。レンジフード１０の正面下部位置には、操作パネル１０ａと取手１０ｂが設けられている。
【００１３】
図３に示すように、レンジフード１０の背面には、排気口１１ａが設けてあり、モータ取付枠１１の背面はこの排気口１１ａと連接している。さらに、モータ取付枠１１の内部には、略中央位置に駆動モータ１２が組み込まれている。駆動モータ１２の回転軸にはファン１３が装着され、さらにファン１３の周囲にファンケース１４が組み付けられる。ファン１３は、駆動モータ１２によって回転駆動される。このファン１３の回転に伴いレンジフード１０内に吸引力が作用し、レンジフード１０の下面開口部から、煙、湯気、油滴などを吸込み、排気口１１ａを介して換気用ダクト２から排出する構成となっている。
【００１４】
図示されていないが、レンジフード１０の内部には駆動モータ１２の制御回路が組み込まれており、操作パネル１０ａの操作に応じて、制御回路が駆動モータ１２を駆動制御して、指定の回転数で駆動モータ１２を回転させる構成となっている。制御回路に電力を供給する電源は、壁面側に設けられている。
【００１５】
図１および２に示すように、換気用ダクト２の開口部２ａの周囲には型枠２０が設けてあり、レンジフード１０は背面がこの型枠２０に嵌め込まれて据付け状態が保持される。このとき、換気用ダクト２の開口部２ａに、レンジフード１０の排気口１１ａが連通する。
ここで、換気用ダクト２の開口部２ａには、弾力性を有するゴム製パッキン２４が内周面一帯に設けられている。このパッキン２４は、開口部２ａとレンジフード１０の排気口１１ａとの連接部を隙間なく密閉する。
【００１６】
型枠２０には、レンジフード１０を同じ姿勢を維持したまま、上下に移動させるクランク機構２１（昇降手段）が設けられている。クランク機構２１は、複数対のシャフト２２と、これらシャフト２２の回転軸となるヒンジ２３を含んでいる。クランク機構２１の各シャフト２２の一端は、レンジフード１０の側面にそれぞれ締結してある。クランク機構２１は、ヒンジ２３を中心に一端が回動する構成であり、この回動動作に伴いレンジフード１０を円弧状の軌道を描いて昇降させることができる。レンジフード１０の内部に組み込まれたモータ取付枠１１、駆動モータ１２、ファン１３、ファンケース１４等の各構成部品も、レンジフード１０と一体に昇降する。
【００１７】
さらに、型枠２０は、壁面側に設けられた電源と駆動モータ１２の制御回路（図示せず）とを電気的に接続したり遮断したりするためのスイッチ２５を備えている（図２参照）。このスイッチ２５は、レンジフード１０を型枠２０から外して下降させる際に制御回路を電源から切り離すとともに、レンジフード１０が上昇して型枠２０に嵌め込まれるとき、制御回路を電源に接続する機能を有している。
【００１８】
図４は、本実施形態に係る換気扇の昇降時の動作を模式的に示す側面図であり、（ａ）はレンジフードが壁面に固定した状態、（ｂ）はレンジフードを降ろした状態である。
図４（ａ）に示すように、レンジフード１０が型枠２０に固定された状態では、排気口１１ａが換気用ダクト２に連通している。このとき、換気扇は、本体内の各部品に電力供給されており、駆動モータ１２がファン１３を回転させることで油煙を吸い込み、換気用ダクト２を通して室外に排出させることができる。
【００１９】
換気扇を清掃したい場合には、図４（ｂ）に示すように、型枠２０からレンジフード１０を外して下方に移動させる。このとき、レンジフード１０は、クランク機構２１のシャフト２２に支持されて下降する。シャフト２２は、レンジフード１０を円弧状の軌道を描いて下方に移動させる。なお、レンジフード１０の移動に伴い、その内部に組み込まれたファン１３、駆動モータ１２等の構成部品も一体に移動する。
【００２０】
レンジフード１０が移動した下方位置では、シャフト２２によってレンジフード１０が保持される。この保持位置は低所であって、作業者にとって作業しやすい高さに設定されている。したがって、作業者は、レンジフード１０に取り付けてあるフード１０、駆動モータ１２、ファン１３、フィルタ１５などを楽に取り出して清掃することができる。
【００２１】
レンジフード１０の清掃終了後は、各構成部品をレンジフード１０内に組み込み、レンジフード１０を上方へ移動させる。レンジフード１０が上方に移動する際は、下方への移動と逆の軌道を描きながら移動する。この移動によって、レンジフード１０が型枠２０に嵌め込まれるとともに、レンジフード１０の排気口１１ａが換気用ダクト２のパッキン２４に接触しながら開口部２ａに連接する。
【００２２】
なお、本発明は、上述した実施形態に限定されるものではなく、種々の変形例や応用例が可能である。次に、本発明の変形例を示す。
【００２３】
〔変形例１〕
図５は、本発明の変形例１に係る換気扇を示す側面図である。
換気扇のファン１３の構造は、プロペラ型だけでなく、シロッコ型の構造であってもよい。シロッコ型のファン１３は、効率的に油煙の吸い込みが行えて電力供給も抑えられるため、近年多く普及しているレンジフード構造である。シロッコ型のファンの場合、換気用ダクト２の配設位置に応じて排気口１１ａの方向を比較的自由に設定できる。本応用例では、図５（ａ）に示すようにレンジフード１０の上部に排気口１１ａが形成してあるが、これに限定されないことはもちろんである。
【００２４】
レンジフード１０の排気口１１ａと換気用ダクト２との間には伸縮自在な排気管１７が設けてあり、この排気管１７を介して排気口１１ａと換気用ダクト２が連通している。排気管１７は、レンジフード１０の昇降動作に伴い伸縮してこの連通状態を維持する。
【００２５】
〔変形例２〕
図６は、本発明の変形例２に係る換気扇を示す側面図である。
同図に示す変形例では、図６（ａ）に示すように、レンジフード１０を前後方向に移動させる第一の案内ガイド２７と、レンジフード１０を上下方向に移動させる第二の案内ガイド２８とを含むガイド機構２６によって昇降手段を構成してある。
【００２６】
図６（ｂ）に示すように、レンジフード１０を下降させる場合は、まず第一の案内ガイド２７に沿って、レンジフード１０を前方へ引き出す。このようにレンジフード１０を前方へ引き出すことで、排気口１１ａと換気用ダクト２の着脱が直線的に行われるので、着脱が容易となる。前方へ引き出した後は、第二の案内ガイド２８に沿って、レンジフード１０を下降させる。
【図面の簡単な説明】
【００２７】
【図１】本実施形態に係る換気扇の全体構成を示す斜視図である。
【図２】本実施形態に係る換気扇の構成を示す分解斜視図である。
【図３】本実施形態に係る換気扇の排気路と換気用ダクトの連通状態を示した斜視図である。
【図４】本実施形態に係る換気扇の昇降時の動作を模式的に示す側面図であり、（ａ）はレンジフードが壁面に固定した状態、（ｂ）はレンジフードを降ろした状態である。
【図５】本発明の変形例１に係る換気扇を示す側面図である。
【図６】本発明の変形例２に係る換気扇を示す側面図である。
【符号の説明】
【００２８】
１：換気扇、２：換気用ダクト、２ａ：開口部、
１０：レンジフード、１０ａ：操作パネル、１０ｂ：取手、１１：モータ取付枠、１１ａ：排気口、１２：駆動モータ、１３：ファン、１４：ファンケース、１５：フィルタ、１７：排気管、
２０：型枠、２１：クランク機構、２２：シャフト、２３：ヒンジ、２４：パッキン、２５：スイッチ、２６：ガイド機構、２７：第一の案内ガイド、２８：第二の案内ガイド
【図１】
2009002541.tif 000003
【図２】
2009002541.tif 000004
【図３】
2009002541.tif 000005
【図４】
2009002541.tif 000006
【図５】
2009002541.tif 000007
【図６】
2009002541.tif 000008